(57)【要約】【課題】  既存の現金またはクレジットカードによるセルフ方式給油と、プリペイドカード使用によるセルフ方式給油とを並存するシステムの提供を容易に可能とする。        【解決手段】複数の給油機と、前記複数の給油機との間で給油情報用ＬＡＮ上の電文情報が送受される第１のＰＯＳ装置を有する第１の清算システムと、前記複数の給油機との間で前記給油情報用ＬＡＮ上の電文情報が送受される第２のＰＯＳ装置及び前記第１の清算システムとは異なる清算処理のための少くとも１つのＰＯＳ端末機群とを有する第２の清算システムと、  さらに、前記複数の給油機と、前記第１のＰＯＳ装置又は、前記第２のＰＯＳ装置との間の、前記給油情報用ＬＡＮ上の電文情報の送受を制御する切替スイッチを有して構成される。【選択図】  図２
2005145537.tif 000002
【特許請求の範囲】
【請求項１】
複数の給油機と、
前記複数の給油機との間で給油情報用ＬＡＮ上の電文情報が送受される第１のＰＯＳ装置を有する第１の清算システムと、
前記複数の給油機との間で前記給油情報用ＬＡＮ上の電文情報が送受される第２のＰＯＳ装置及び、前記第１の清算システムとは異なる清算処理のための少くとも１つのＰＯＳ端末機を含む第２のＰＯＳ端末機群を有する第２の清算システムと、
さらに、前記複数の給油機と、前記第１のＰＯＳ装置又は、前記第２のＰＯＳ装置との間の、前記給油情報用ＬＡＮ上の電文情報の送受を制御する切替スイッチを
有して構成されることを特徴とする給油所システム。
【請求項２】
請求項１において、
前記切替スイッチは、前記複数の給油機対応に、前記第１または第２のＰＯＳ装置の何れから制御権を確立するための電文を発しているかの情報を保持するテーブルを有し、
前記給油情報用ＬＡＮ上の電文情報を、前記テーブルに保持される前記第１または第２のＰＯＳ装置の何れから制御権を確立するための電文を発しているかの情報に基づき、前記複数の給油機と、前記第１のＰＯＳ装置又は、前記第２のＰＯＳ装置との間で送受する様に制御することを特徴とする給油所システム。
【請求項３】
請求項２において、
前記切替スイッチは、前記複数の給油機から前記給油情報用ＬＡＮ上に送出される制御に関する電文に対する回答電文を前記テーブルに保持された制御権を確立するための電文の発信元である前記第１又は第２のＰＯＳ装置にのみ転送し、前記第１又は第２のＰＯＳ装置から送出される制御に関する電文が、前記テーブルの保持された制御権を確立するための電文の宛先と異なる場合は、前記電文を破棄する様に制御することを特徴とする給油所システム。
【請求項４】
請求項１乃至３のいずれかにおいて、
さらに、前記複数の給油機に対応して、前記第１の清算システムの清算処理のためのＰＯＳ端末機群を有し、
前記複数の給油機の一対の給油機と前記一対の給油機に対応する前記第１の清算システムの清算処理のためＰＯＳ端末機群の一対の端末機が共通の筺体に収容され、且つ前記第２のＰＯＳ端末機群は、前記筺体とは独立していることを特徴とする給油所システム。
【請求項５】
複数の給油機と、前記複数の給油機との間で給油情報用ＬＡＮ上の電文情報が送受される第１のＰＯＳ装置を有する第１の清算システムと、前記複数の給油機との間で前記給油情報用ＬＡＮ上の電文情報が送受される第２のＰＯＳ装置及び、前記第1の清算システムとは異なる清算処理のための少くとも１つのＰＯＳ端末機群とを有する第２の清算システムを有する給油所システムに使用され、前記複数の給油機と、前記第１のＰＯＳ装置又は、前記第２のＰＯＳ装置との間の、前記給油情報用ＬＡＮ上の電文情報の送受を制御する切替スイッチであって、
前記複数の給油機対応に、前記第１または第２のＰＯＳ装置の何れから制御権を確立するための電文を発しているかの情報を保持するテーブルと、
前記テーブルに保持される前記第１または第２のＰＯＳ装置の何れから制御権を確立するための電文を発しているかの情報に基づき、前記給油情報用ＬＡＮ上の電文情報を、前記複数の給油機と前記第１のＰＯＳ装置又は、前記複数の給油機と前記第２のＰＯＳ装置との間で送受する様に制御する制御装置を有する
ことを特徴とする切替スイッチ。
【請求項６】
請求項５において、
前記制御装置は、前記複数の給油機から前記給油情報用ＬＡＮ上に送出される制御に関する電文に対する回答電文情報を前記テーブルの保持された制御権を確立するための電文情報の発信元である前記第１又は第２のＰＯＳ装置にのみ転送し、前記第１又は第２のＰＯＳ装置から送出される制御に関する電文が、前記テーブルに保持された制御権を確立するための電文の宛先と異なる場合は、前記電文情報を破棄する様に制御することを特徴とする切替スイッチ。
【発明の詳細な説明】
【技術分野】
【０００１】
本発明は、給油所システムに関する。特に、需要者自身により給油作業を行う、セルフサービス方式の給油所システムに関する。
【背景技術】
【０００２】
商品の購入において、現金またはクレジットカードが使用される態様が一般的である。商品としての燃料油を販売する給油所においても現金またはクレジットカードを使用して販売が行われることがこれまで一般的であった。
【０００３】
さらに、近年は、給油所において、顧客自身で給油作業を行うセルフ式給油所が普及の段階にあり、この場合も現金またはクレジットカードによる利用を可能とするシステムが運用されている。
【０００４】
かかるセルフ式給油所システムの適用の一例として、給油所システムにおける監視システムが先に提案されている(特許文献１)。
【０００５】
特許文献１の図１、図２に示される様に、給油を必要とする車両がそれぞれ停止する複数のレーンに対応して複数の計量ユニット（給油機ユニット）が配置される。それぞれの計量ユニットには、コントローラが備えられ、複数の計量ユニットのコントローラはインタフェース装置を介して、ＰＯＳターミナル（ＰＯＳ装置）に共通に接続される。このＰＯＳターミナルにより各計量ユニットにおける給油販売のデータが集計される。なお、特許文献１では、給油所システムにおける監視を目的とするために、ＰＯＳ装置とターミナルとインタフェース装置との間に監視装置が設けられている。
【０００６】
このようなセルフ式給油所システムにおいて、現金またはクレジットカードを使用してセルフ給油販売を行うシステム構成では、給油完了後に販売室に顧客が出向いて係員の操作でＰＯＳ装置から得られる給油結果に基づき清算する方式（ＰＡＣ：Pay At Casher）が採用される。
【０００７】
また給油所システムにおける別の清算方式として、給油機ユニットに組み込まれた、または近傍に設置された現金またはクレジットカードの投入機構を備えた、ＰＯＳ装置に接続されたＰＯＳ子機（ＰＯＳ端末機）により事前の現金またはクレジットカードの投入を確認して、該当する給油機ユニットにおける給油ポンプの駆動を可能とし、給油完了後の清算の実行を行う通信制御を実現するＰＡＰ（Pay At Pump）方式がある。
【０００８】
このような仕様により現金またはクレジットカードを用いるセルフ方式の給油所システムが、既存のものとして多く構築されている。
【０００９】
一方、現金またはクレジットカードに代わる新たな商品の販売方法として、事前に所定の購入可能金額を記録したプリペイドカードを使用する方法やＲＦＩＤ（Radio Frequency IDentification：電磁波を使用した非接触の自動認識技術）を使用した清算処理手段が、実用普及化されている。かかる事情を考慮して、セルフ式給油所システムにおいてもプリペイドカードやＲＦＩＤを使用して給油を可能とするシステムが考えられ、既に実用化されている。
【００１０】
そして、プリペイドカードシステムやＲＦＩＤの普及に伴って、かかる既存の現金またはクレジットカードを用いるセルフ式給油所システムにおいてもプリペイドカードやＲＦＩＤの使用を可能とすることが望まれる。
【００１１】
ここで、プリペイドカードやＲＦＩＤの使用を前提に新規のセルフ式給油所システムを構築する場合の困難性はそれほど大きくはない。
【００１２】
これに対し、前述の様に既に多くのセルフ式給油所システムは、現金またはクレジットカードを用いて清算するセルフ式給油所システムとして構築されている事情が存在する。かかる既に構築されているセルフ式給油所システムのうち特に前記のＰＡＰ方式においては、ＰＯＳ端末機の物理的スペースによる制約並びに、現金またはクレジットカードによるＰＯＳ装置における給油販売の制御プログラムの改変等が必要となり、物理的及び価格面において、非常な困難を伴うものであった。
【００１３】
また、セルフサービス方式の給油所であっても、一部の給油ユニットについては係員が直接給油作業を行うフルサービス方式で運用する給油所もあり、かかる給油所の場合は給油ユニットとＰＯＳ装置を含めてセルフサービス方式とは独立したフルサービスのシステムを併用している。このような給油所向けにサービス方式をＰＯＳによる選択スイッチの操作で切り替える方式をとるシステムが先に提案されている（特許文献２）。
【００１４】
この場合においても、新規に切り替え方式のＰＯＳシステムを導入したとしても新たな清算処理手段の追加が発生した場合の対応については、前記の場合と同様に物理面及び価格面において、非常な困難を伴うものと思われる。
【特許文献１】特開平１０−２５８８９９号公報
【特許文献２】特開２００３−２３１５９６号広報
【発明の開示】
【発明が解決しようとする課題】
【００１５】
したがって、本発明の目的は、かかる状況に鑑みて、既存のたとえば現金またはクレジットカードを用いるセルフ式給油所システムに対して追加的に、たとえばプリペイドカードの使用を可能とするセルフ式給油販売システムを構築する場合であっても、あるいは、現金またはクレジットカードとともにプリペイドカードの使用を可能とするセルフ式給油販売システムを新規に構築する場合であっても、安価に効果的な構成を実現することを目的とする。
【課題を解決するための手段】
【００１６】
上記の課題を達成する本発明に従う給油所システムの第１の態様は、複数の給油機と、
前記複数の給油機との間で給油情報用ＬＡＮ上の電文情報が送受される第１のＰＯＳ装置を有する第１の清算システムと、前記複数の給油機との間で前記給油情報用ＬＡＮ上の電文情報が送受される第２のＰＯＳ装置及び、前記第１の清算システムとは異なる清算処理のための少くとも１つのＰＯＳ端末機を含む第２のＰＯＳ端末機群とを有する第２の清算システムと、さらに、前記複数の給油機と、前記第１のＰＯＳ装置又は、前記第２のＰＯＳ装置との間の、前記給油情報用ＬＡＮ上の電文情報の送受を制御する切替スイッチを有して構成されることを特徴とする。
【００１７】
上記の課題を達成する本発明に従う給油所システムの第２の態様は、第１の態様において、前記切替スイッチは、前記複数の給油機対応に、前記第１または第２のＰＯＳ装置の何れから制御権を確立するための電文を発しているかの情報を保持するテーブルを有し、
前記給油情報用ＬＡＮ上の電文情報を、前記テーブルに保持される前記第１または第２のＰＯＳ装置の何れから制御権を確立するための電文を発しているかの情報に基づき、前記複数の給油機と、前記第１のＰＯＳ装置又は、前記第２のＰＯＳ装置との間で送受する様に制御することを特徴とする。
【００１８】
上記の課題を達成する本発明に従う給油所システムの第３の態様は、第２の態様において、前記切替スイッチは、前記複数の給油機から前記給油情報用ＬＡＮ上に送出される制御に関する電文に対する回答電文を前記テーブルに保持された制御権を確立するための電文の発信元である前記第１又は第２のＰＯＳ装置にのみ転送し、前記第１又は第２のＰＯＳ装置から送出される制御に関する電文が、前記テーブルの保持された制御権を確立するための電文の宛先と異なる場合は、前記電文を破棄する様に制御することを特徴とする。
【００１９】
さらに、上記の課題を達成する本発明に従う給油所システムの第４の態様は、第１乃至第３の態様のいずれかにおいて、さらに、前記複数の給油機に対応して、前記第１の清算システムの清算処理のためのＰＯＳ端末機群を有し、前記複数の給油機の一対の給油機と前記一対の給油機に対応する前記第１の清算システムの清算処理のためＰＯＳ端末機群の一対の端末機が共通の筺体に収容され、且つ前記第２のＰＯＳ端末機群は、前記筺体とは独立していることを特徴とする。
【００２０】
本発明の特徴は、以下に図面に従い説明される発明の実施の形態例からさらに明らかになる。
【発明の効果】
【００２１】
本発明は、切替スイッチの存在により、既存の清算方式によるセルフ方式給油に影響を与えることなく、新たな清算方式や給油方式とを並存するシステムの提供が容易に可能である。よって、本発明の適用により、セルフ方式給油所システムの更なる普及に貢献することが可能である。
【発明を実施するための最良の形態】
【００２２】
以下に図面に従い本発明の実施例を説明するが、本発明の理解を容易とするべく、実施例の説明に先立って、従来のセルフ式給油所システムの構成の概略を説明する。
【００２３】
尚、図に示す実施例は本発明の理解のためのものであり、本発明の技術的範囲はこれらに限定されるものではない。
【００２４】
図１は、従来のＰＡＰ方式のセルフサービス給油所システムの機器構成例ブロック図である。
【００２５】
図１に示す例では、セルフサービスによる給油所（ガソリンスタンド）に設けられたセルフレーン１００に、３つの給油機ユニットが配置され、それぞれの給油機ユニットには、面Ａ側、Ｂ側に対応して組となる給油機１０１Ａ／Ｂ、１０２Ａ／Ｂ、１０３Ａ／Ｂを有し、それぞれの給油機側から操作ならびに給油ができるように構成されている。すなわち、１組の給油機１０１Ａ／Ｂに関しては、給油機１０１Ａは、面Ａ側の顧客に給油を可能とし、給油機１０１Ｂは、面Ｂ側の顧客に給油を可能とする。
【００２６】
給油機１０１Ａ／Ｂ、１０２Ａ／Ｂ、１０３Ａ／Ｂは、それぞれレギュラーガソリン、ハイオクガソリン、軽油の最大３つの油種を選択可能な給油機構であり、それぞれの給油機に対応して、ＰＯＳ端末機１１１Ａ／Ｂ、１１２Ａ／Ｂ、１１３Ａ／Ｂが給油機ユニットに組み込まれている。
【００２７】
ＰＯＳ端末機１１１Ａ／Ｂ、１１２Ａ／Ｂ、１１３Ａ／Ｂは、ＰＯＳ端末機制御信号線ＣＳＬによりＨＵＢ装置２を通して、ＰＯＳ装置３に接続されている。さらに、それぞれの給油機１０１Ａ／Ｂ、１０２Ａ／Ｂ、１０３Ａ／Ｂのそれぞれは、我が国における給油所機器の接続用に規格化されている給油情報用ＬＡＮ(以下単にＬＡＮという)を通して、ＰＯＳ装置３に接続されている。
図１に示すセルフ式給油所システムにおいて、顧客が自らの自動車に給油するためにセルフレーン１００の給油機１０１Ｂ側に駐車した場合を想定する。
【００２８】
顧客は対応するＰＯＳ端末機１１１Ｂの操作面により、給油条件（たとえば、現金の投入、数量または金額指定、油種の選択など）を指定する。この指定情報は、ＰＯＳ端末機制御信号線ＣＳＬを経由してＰＯＳ装置３に伝達される。ＰＯＳ装置３はＰＯＳ端末機制御信号線ＣＳＬにより送られる指定情報に基づき、給油を可能とすべきかを判断する。
【００２９】
給油可能であれば、対応するＰＯＳ端末機１１１Ｂに対し、顧客に音声ガイダンス、例えば“給油ノズルを外して給油を開始してください”とアナウンスするように指令を出す。
【００３０】
またＰＯＳ端末装置３は、次の動作に備えて対応する給油機１０１Ｂからの「ノズル外し」を示す情報が送られるのを待つ状態となる。
【００３１】
顧客が給油を開始するために給油機１０１Ｂの、例えば、レギュラーガソリンの給油ノズルを外すと、給油機１０１Ｂの制御装置（図示せず）は、自らの給油機を特定する記号とともに外された給油ノズルに対応する油種情報と給油ノズルが外されたという「ノズル外し」情報をパケット信号により給油情報用ＬＡＮ上に送出する。
【００３２】
ＰＯＳ装置３は、ＬＡＮ上のパケット信号を解析して「ノズル外し」情報を識別する。ＰＯＳ装置３は、パケット信号の送出元情報から、「ノズル外し」情報が給油機１０１Ｂから送られたものであると判断する。
【００３３】
次いで、ＰＯＳ装置３は、給油機１０１Ｂを特定するアドレスとともに、先にＰＯＳ端末機１１１Ｂから送られた指定情報と単価などを含む「給油許可」情報をＬＡＮ上に送出し、給油機１０１Ｂからの「給油中」「給油終了」情報を待機する状態となる。
【００３４】
ここで、セルフサービスの給油所では、一般に、図示しないセルフサービスコンソール（ＳＳＣ）がＬＡＮ上でＰＯＳ装置３と給油機との間に設けられて、ガソリンスタンドの係員が安全確認した後にＰＯＳ装置３からの「給油許可電文」が給油機側に伝達されるように構成されているが、説明を簡単化するため以後の説明においてもＳＳＣは省略する。
【００３５】
給油機１０１Ｂは、受信した自己宛ての「給油許可」情報を正常に受信すると、図示しない給油ポンプを回して地下タンクから燃料油を汲み上げ、図示しない電磁弁を開いて給油ホースを経由して給油ノズルから顧客の自動車の燃料タンクに燃料油の給油を行う。
【００３６】
給油機１０１Ｂはこの給油が開始されると、自らの給油機を特定する送信元アドレスとともに給油中であるという「給油中」情報を電文としてＬＡＮ上に送出する。
【００３７】
顧客が先に設定した必要量の燃料油の給油が完了し、顧客が給油機１０１Ｂの給油ノズルを所定の位置に戻すと、給油機１０１Ｂは図示しない電磁弁を閉じ、図示しない給油モータを停止して給油動作を終了するとともに、自らの給油機１０１Ｂを特定するアドレスとともに油種、給油量、給油量に対応する金額、税金、給油ノズルの状態（ここでは「ノズル掛け」）などの情報を含む「給油終了」情報をＬＡＮ上に送出する。
【００３８】
ＰＯＳ装置３は、 給油機１０１Ｂからの「給油終了」情報を受け取ると、精算のために必要な演算を行い、ＰＯＳ端末機１１１Ｂに対しレシートの発行データを送るなどして一連の処理が完了する。ＰＯＳ端末機１１１Ｂはレシートの発行データによりレシートを発行して終了する。
【００３９】
このような従来のセルフ式給油所システムが既に設備化されている場合、あるいは新規に設備する場合に、現金若しくはクレジットカードを用いた第１の清算システムに加え、プリペイドカードによる清算やＲＦＩＤなどを用いた新たな第２の清算システムを可能とする設備を備えることが要望される。
【００４０】
しかし、図１に示した給油機及びＰＯＳ端末機は何れもスペースが限られていて、現金若しくはクレジットカードに加え、新たにプリペイドカードを受け入れる機構やＲＦＩＤなどの新たな機構を給油機あるいはＰＯＳ端末機に備えることは困難である。さらに、プリペイドカードやＲＦＩＤなどによる清算に対応して、ＰＯＳ装置側でソフトウェアの改変等の必要が生じる。
【００４１】
したがって、設備の改変に多額の資金が必要となり、プリペイドカードやＲＦＩＤなどの新たな清算方式を導入し得ない場合がある。
【００４２】
かかる点に鑑みて、本発明の目的は、既存の第１の清算システムを構成するセルフ式給油販売システムをそのまま用い、更に第１の清算システムによる清算方式と異なる清算を可能とする新たな第２の清算システムを容易に構築可能とするものである。
【００４３】
以下の実施例説明では、第１の清算システムにおいて、現金またはクレジットカードを清算に用い、追加手段としての第２の清算システムにおいて、プリペイドカードによる清算の例を説明するが、本発明の目的の実現において、第１の清算システムにおいて清算に用いる現金またはクレジットカード、更に第２の清算システムにおいて清算に用いるプリペイドカードやＲＦＩＤは例示であり、本発明の適用をこれらに限定するものではない。
【００４４】
図２は、本発明に従うセルフ式給油所システムの機器構成例ブロック図である。
【００４５】
図２において、セルフレーン１００に配置される複数の給油機ユニットのそれぞれに給油機１０１Ａ／Ｂ、１０２Ａ／Ｂ、１０３Ａ／Ｂと、ＰＯＳ端末機１１１Ａ／Ｂ、１１２Ａ／Ｂ、１１３Ａ／Ｂが備えられる。さらに、ＨＵＢ装置２及びＰＯＳ装置３を備える構成は、図１に示した構成と同じである。かかる構成を以後の説明において第１の清算システムと呼ぶ。
【００４６】
ここで、上記セルフレーン１００に沿って配置される複数の給油機ユニットのそれぞれに備えられる給油機１０１Ａ／Ｂ、１０２Ａ／Ｂ、１０３Ａ／Ｂの構成は同一であり、一例として図３に示す如くであり、給油機１０１Ａ／ＢのＢ面外観斜視図を示している。
【００４７】
図３において、正面パネルにはＣＲＩＰ（Card Reader In Pump）型ＰＯＳ端末機１１１Ｂの操作盤と、給油機１０１Ａの給油情報表示部１２０を有する。また給油機１０１Ｂの給油ホース、給油ノズルも配置されている。なお背面のＡ面も同様の配置となっている。
【００４８】
ＰＯＳ端末機１１１Ｂの操作盤には人物感知センサ１２１を有し、顧客を感知してＰＯＳ端末機１１１Ｂ内の図示しない制御部を起動する。制御部の起動により、インターフォン音声ガイダンス１２２からの音声により、また表示部・指示部１２３による表示により顧客に使用方法を知らせる。
【００４９】
これに対応して顧客は、クレジットカード挿入口１２４にクレジットカードを挿入し、あるいは紙幣挿入口１２５に紙幣を挿入し、更に表示部・指示部１２３により、給油量または金額指定、油種の選択などの指定情報を入力する。
【００５０】
これにより、先に説明したように、この指定情報は、ＰＯＳ端末機制御信号線ＣＳＬを経由して第１の清算システムのＰＯＳ装置３に伝達される。第１の清算システムのＰＯＳ装置３はＰＯＳ端末機制御信号線ＣＳＬにより送られる指定情報に基づき、給油を可能とすべきかを判断する。給油可能であれば、対応するＰＯＳ端末機１１１Ｂに対し、顧客に音声ガイダンス、“給油ノズルを外して給油を開始してください”とアナウンスするように指令を出す。
【００５１】
これにより、顧客は、指定した油種の給油ノズル１２６を外し、給油が可能になる。
給油が終了した時点で、レシート排出口１２７からレシートが排出されるとともに、釣銭が必要な場合は釣銭引換券が排出される。ここまでの動作は、図１に関連して説明した従来例の動作と同様である。
【００５２】
図２に戻り説明すると、給油機１０１Ａ／Ｂ、１０２Ａ／Ｂ、１０３Ａ／Ｂに対応するＰＯＳ端末機１１１Ａ／Ｂ、１１２Ａ／Ｂ、１１３Ａ／Ｂの操作盤は、図３において説明したように、紙幣挿入口１２５及びクレジットカード挿入口１２４から現金またはクレジットカードのみの受け入れを可能としている。
【００５３】
したがって、現金またはクレジットカードを用いた清算方法の他に、プリペイドカードを使用した清算を可能とするセルフ式給油販売システムを追加構築しようとする場合、ＰＯＳ端末機１１１Ａ／Ｂ、１１２Ａ／Ｂ、１１３Ａ／Ｂ自体に、当初想定されていない新たな機構を備えることは物理的に不能である。
【００５４】
しかし、一方で、図１に示した現金またはクレジットカードを用いた清算方法にのみ対応した給油機ユニットとは別個に、プリペイドカードを使用した清算にも対応できる給油機ユニットを準備することは、価格的に有利ではない。しかも、現金またはクレジットカードを用いた清算方法にのみ対応した給油機ユニットが既に給油所に備えられている場合には、これを撤去した上で、プリペイドカードを使用した清算にも対応できる給油機ユニットに置き換えることが必要である。
【００５５】
したがって、本発明は、図２において、既存の現金またはクレジットカードを用いた清算方法にのみ対応した第１の清算システムをそのまま生かし、これとは別個の新たなプリペイドカードによる清算を可能とする少なくとも１個(図２の例では２個)の物理的に独立したＰＯＳ端末機２０，２１と、対応するＰＯＳ装置４を有する構成(これを以降、第２の清算システムという)を後述する切替スイッチとともに備えることにより課題の解決を図ったものである。
【００５６】
第２の清算システムに備えられるＰＯＳ端末機２０，２１の外観は、例えば、図４のようであり、１台のＰＯＳ端末機２０又は、２１が、複数の給油機ユニットに共用される。
【００５７】
図４において、給油機指定部２００により使用する給油機が特定される。さらに、操作案内を表示する表示部２０１及び、プリペイドカードリーダ部２０２を有している。
【００５８】
さらに、図２において、第１の清算システムと第２の清算システムを切り替える切替スイッチ(ＳＳ−ＬＡＮ切替スイッチ)５を備える。切替えスイッチ５の構成例が図５に示される。
【００５９】
図５において、切替スイッチ５は、第１の清算システムのＰＯＳ装置３、第２の清算システムのＰＯＳ装置４及び、給油情報用ＬＡＮと接続するインタフェース５３，５４、５５を有し、さらに制御装置５０とメモリ５１を有して構成される。
【００６０】
以下、切替スイッチ５が、インタフェース５３，５４，５５を通して接続される回線をそれぞれチャネルＡ（ＣＨ−Ａ）、チャネルＢ（ＣＨ−Ｂ）及びチャネルＣ（ＣＨ−Ｃ）として説明する。
【００６１】
切替スイッチ５の制御装置５０は、メモリ５１上に保持される内容に応じてチャネルＡ（ＣＨ−Ａ）、チャネルＢ（ＣＨ−Ｂ）及びチャネルＣ（ＣＨ−Ｃ）から受信するデータ内容(以下、電文という)に対する、転送・廃棄・加工処理を制御する。
【００６２】
図６にメモリ５１に格納されるテーブルに保持される内容例を示す。一例として、ＰＯＳ装置３，４の何れと連動して、何れの給油機に対して給油許可の電文「給油許可電文」が有効とされたかを示す対応（「給油許可発信チャネル」）が記録される。
【００６３】
ここで、ＰＯＳ端末機１１１Ａが操作された場合を想定する。ＰＯＳ端末機１１１Ａを顧客が操作し、給油条件を指定すると、当該指定情報はＰＯＳ端末機制御信号線ＣＳＬを経由してＰＯＳ装置３に伝達される。この指定情報のフォーマットの例を図７に示す。
【００６４】
図７に示すように、指定情報には、ＰＯＳ端末機番号(記号)、給油機番号(記号)、投入金額又はクレジットカード情報、給油予定の油種及び数量又は金額の情報が含まれる。
【００６５】
したがって、ＰＯＳ装置３において、図７に示す指定情報からＰＯＳ端末機１１１Ａから給油機１０１Ａにより給油を行うことの要求が出されたこと及び、給油予定の油種等の情報を取得可能である。
【００６６】
次に顧客が給油機１０１Ａの給油ノズル１２６を外すと、給油機１０１Ａから「ノズル外し電文」がＬＡＮ上に送出される。この電文はＣＨ−Ｃから切替スイッチ５を経由してそのままＣＨ−Ａに接続されたＰＯＳ装置３およびＣＨ−Ｂに接続されたＰＯＳ装置４の双方に伝達される。ただし、第２の清算システムのＰＯＳ装置４では、給油機１０１Ａからの給油要求を保持していないので、送られた「ノズル外し電文」に対し何も動作をしない。
【００６７】
一方、給油機１０１Ａからの給油要求を保持している第１の清算システムのＰＯＳ装置３は、「ノズル外し電文」を受けると、給油機１０１Ａに対して前記の「給油許可電文」を送出する。
【００６８】
ここで、給油機側からＬＡＮ上に送られる電文ならびにＰＯＳ装置からＬＡＮ上に送られる電文のフォーマットは、前記のＬＡＮの規格に準拠している。例として給油機側からＬＡＮ上に送られる電文フォーマットは、図８Ａ，８Ｂ，８Ｃに示す如くであり、ＰＯＳ装置からＬＡＮ上に送られる電文のフォーマットは、図８Ｄ、８Ｅに示す如くである。
【００６９】
上記の「ノズル外し電文」における電文のフォーマットは図８Ａが使用され、送信元、電文内容を特定する電文コードで構成される。送信元は、給油機１０１Ａであり、電文コードは、「ノズル外し電文」に対応するコードである。
【００７０】
これらの電文例は、「ノズル外し電文」の他に、処理の流れに応じた次のような種類がある。これらについては、以降の処理手順の説明と関連するところで適宜に再度言及する。
【００７１】
［ＰＯＳ装置３，４側から給油機側に対して送出する電文例］
１．制御に関する電文（切替スイッチ５における制御対象電文である）
１−１：制御権を確立するための電文（図８Ｄ）
「給油許可電文」：給油機を指定する記号とともに指定油種、単価、指定金額または指定数量などの情報がある。
【００７２】
１−２：制御権を取り消すための電文(図８Ｅ)
「給油許可取し消電文」：給油機における指定情報が取り消された場合に、先に送出された「給油許可電文」を取り消す電文である。
【００７３】
１−３：制御電文(図８Ｅ)
「ポンプロック電文」：緊急時などに給油機構を指定して給油ポンプの停止、電磁弁の閉鎖を指示する電文である。
「ポンプロック解除電文」：「ポンプロック電文」による指示を解除する電文である。
【００７４】
２．その他の電文（図８Ｅ）（切替スイッチ５における制御対象としない電文である）
ＰＯＳ装置からの給油機に対する状態（ステータス）要求電文などがある。
【００７５】
［給油機側からＰＯＳ装置３，４に対して送出する電文例］
１．制御に関する電文に対する回答電文（切替スイッチ５における制御対象電文である）
「エラー電文」：給油機側がＰＯＳ装置からの電文解析に失敗した場合などに送出される電文である。（図８Ａ）
「給油中電文」：給油機が給油を開始した場合に発信する電文であり、給油ノズル１２６の状態を含む電文である。（図８Ｂ）
「給油終了電文」：給油機での給油が終了した場合に発信する電文(図８Ｃ)
給油ノズルの状態及び、付加情報として給油量、油種、金額などを含む電文である。
【００７６】
２．その他の電文（切替スイッチ５における制御対象としない電文である）
ＰＯＳ装置からの給油機に対する状態（ステータス）要求に対する回答電文（図８Ｃ）などである。
【００７７】
次に、顧客が給油機１０１Ａで、本発明に従い新たに追加された第２の清算システムにおけるプリペイドカードを使用する給油機能を実現する際の動作は次のようになる。
【００７８】
顧客はＰＯＳ端末機１１１Ａにはプリペイドカードを受け付ける機構がないため、給油機１０１Ａの近傍に新たに設置されたＰＯＳ端末機２０を使用する。ＰＯＳ端末機２０は図４に示したようにプリペイドカードの挿入口を持つプリペイドカードリーダ部２０２、顧客に対する操作案内表示部２０１及び、複数の給油機を指定可能な給油機指定部２００が設けられている。
【００７９】
顧客はプリペイドカードをプリペイドカードの挿入口に挿入し、操作案内表示部２０１に表示される操作案内に従い給油機１０１Ａを指定する。この指定情報は、ＰＯＳ端末機２０に挿入されたプリペイドカードの情報（残高情報など）とともに第２の清算システムに属するＰＯＳ端末機制御信号線ＣＳＬ上に送出され、ＨＵＢ装置６を通して、ＰＯＳ装置４に送られる。
【００８０】
次に顧客が給油機１０１Ａのレギュラーガソリンの給油ノズル１２６を外すことにより、給油機１０１ＡはＬＡＮ上に「ノズル外し電文」を送出し、切替スイッチ５でこれが受信される。切替スイッチ５は、「ノズル外し電文」についてはその電文をそのままＰＯＳ装置３と４に送出する。
【００８１】
一方、ＰＯＳ装置４は、ＰＯＳ端末機制御信号線ＣＳＬ上から受信したプリペイドカードの情報を解析する。この結果、プリペイドカードの残高がゼロでないなど給油が可能と判断すると、給油機１０１Ａの前記の「ノズル外し電文」の存在を条件にしてＣＨ−Ｂに対して給油機１０１Ａに対する「給油許可電文」を送出する。プリペイドカードの場合は「給油許可電文」にプリペイドカードの残高（給油可能な税込み販売価格）が含まれる。
【００８２】
スイッチ装置５は、ＣＨ−ＢからのＰＯＳ装置４の給油機構１０１Ａに対する「給油許可電文」を受信すると図６のテーブル（初期値は図６Ａであり、この時点では図６Ａ）を参照し、給油機１０１Ａに対応する給油許可発信チャネルが“空白”であるのでＣＨ−Ｂに対応する記号“Ｂ”を書き込み（図６Ｃの状態に変化）、当該電文をＣＨ−ＣからＬＡＮ上に送出する。
【００８３】
ここで給油機構１０１Ａに対応する給油許可発信チャネルが“空白”でなく、既に“Ｂ”であれば当該電文をそのままＣＨ−ＣからＬＡＮ上に送出するが、“Ａ”であれば、Ａにより制御権が既に確立されていると判断し、チャネルＢからの情報を遮断するため当該電文は削除する。 「給油許可電文」を受信した給油機１０１Ａが電文の条件の欠落など所定エラーと判断した場合は給油機の記号を含む「エラー電文」をＬＡＮ上に送出する。スイッチ装置５の制御装置５０は、ＣＨ−Ｃからこの「エラー電文」を受信し、メモリ５１上のテーブル（この時点は図６Ｃ）を参照して給油機１０１Ａに対する給油許可発信チャネル情報（“Ｂ”）を取得し、“Ｂ”に対応するＣＨ−ＢのＰＯＳ装置４に対して当該電文をそのまま転送するが他方のＣＨ−ＡのＰＯＳ装置３には、電文の転送は行わない。
【００８４】
その後、図６Ｃの給油機１０１Ａに対応する「給油許可発信チャネル」の情報を“空白”に更新し、図６Ａの状態とする。
【００８５】
給油機１０１Ａで給油が開始されると、給油機の記号を含む「給油中電文」がＬＡＮ上に送出される。スイッチ装置５の制御装置５０は、ＣＨ−Ｃからこの電文を受信しメモリ５１上のテーブル（この時点は図６Ｃ）を参照して給油機１０１Ａに対する給油許可発信チャネル情報（“Ｂ”）を取得し、“Ｂ”に対応するＣＨ−ＢのＰＯＳ装置４に対して当該電文をそのまま転送する。
【００８６】
同時に、他方のＣＨ−ＡのＰＯＳ装置３には、当該電文に含まれる給油機１０１Ａの給油ノズル１２６の状態を示す電文（「ノズル掛け電文」）に書き換えて送出する。給油機１０１Ａがプリペイドカードの残高に対応する給油量で停止するかあるいは顧客が残高に対応する給油量以前に給油を停止して給油ノズル１２６を戻すと、給油機１０１Ａは「給油終了電文」をＬＡＮ上に送出する。
【００８７】
スイッチ装置５の制御装置５０はＣＨ−Ｃからこの電文を受信し、メモリ５０上のテーブル（この時点は図６Ｃ）を参照して給油機１０１Ａに対する給油許可発信チャネル情報（“Ｂ”）を取得し、“Ｂ”に対応するＣＨ−ＢのＰＯＳ装置４に対して当該電文をそのまま転送するとともに 、他方のＣＨ−Ａに対しては「給油終了電文」に含まれる給油機１０１Ａのノズル状態を示す電文（ここでは「ノズル掛け電文」）に書き換えて送出する。
【００８８】
これととともに、図６Ｃの給油機１０１Ａに対応する「給油許可発信チャネル」の情報を“空白”に更新し、図６Ａとする。 ＣＨ−Ｂから給油機１０１Ａの「給油終了電文」を受け取ったＰＯＳ装置４は、プリペイドカードの精算のために必要な演算を行い、ＰＯＳ端末機２０に対し、日付データ、利用額、残高の更新データなどを送信して一連の処理が完了する。
【００８９】
ＰＯＳ端末機２０は、プリペイドカードに対してＰＯＳ装置４からのデータに基づき日付、利用額、残高データなど所定の印字と電磁気的に記録データを更新して排出し一連の処理が終了する。ＰＯＳ装置４は、自家発行型のプリペイドカードシステムの場合は図示しないプリペイドカードの発券機と連動したり、第三者発行型のプリペイドカードシステムの場合は決済用のデータを作成し、図示しない指定計算センターへプリペイドカードの決済データを送信するなどＰＯＳ装置３には存在しない付加機能を持つ。
【００９０】
第２の清算システムを構成するＰＯＳ装置４およびＰＯＳ端末機２０または２１は、近年普及が始まったＲＦＩＤ（Radio Frequency IDentification：電磁波を使用した非接触の自動認識技術）を使用した決済の機能を付加した使用も可能である。この場合は、ＰＯＳ端末機２０または２１に顧客が所有するＲＦＩＤタグとの通信アンテナ装置を設け、ＰＯＳ装置４には通信アンテナから取得したＲＦＩＤタグの情報を解析し図示しない外部のオーソリセンターと通信してクレジットカードでの決済として精算処理をする機能を持つ。
【００９１】
さらには、ＰＯＳ装置４およびＰＯＳ端末機２０または２１を、ガソリンスタンドの係員が給油操作を行う方式（フルサービス方式）での機器とすると、給油機がセルフ方式であるための制限（最大給油量が制限されるなど）はあるものの、給油に際しての係員番号の登録や掛売りの顧客カードの読み取りといった従来のフルサービス方式での給油操作が可能となる。
このように、本発明は、切替スイッチ５を使用することにより新たな機能をもつＰＯＳ設備を既設の設備に影響を与えることなく容易に追加できる。
【００９２】
ここで、スイッチ装置５の処理の内容を理解容易とするべく、図９乃至図１２の動作フローを適宜参照しながら更に動作の流れを詳細に説明する。尚、図９，図１０は、ＰＯＳ装置３又は４から給油機側に向かう電文に対するスイッチ装置５の処理、図１１及び図１２は、給油機側からＰＯＳ装置３又は４に向かう電文に対するスイッチ装置５の処理を示すフローである。
【００９３】
図９において、切替スイッチ５が、ＣＨ−ＡからのＰＯＳ装置３の電文を受信すると、制御装置５０は、先ず制御権を確立するための電文である「給油許可電文」であるかを判断する（ステップＳ１）。
【００９４】
「給油許可電文」（図８Ｄ）である場合（ステップＳ１、Ｙ）は、電文内の給油機記号を抽出する（ステップＳ２）。次いで、図６のテーブルを参照して、テーブルの給油許可発信チャネルの情報を取得する（ステップＳ３）。
【００９５】
このとき、給油機１０１Ａ(給油機記号：１０１Ａ)に対応する給油許可発信チャネルが、図６Ａに示すように、“空白”であれば（ステップＳ４、Ｙ）、受信チャネルがＣＨ−Ａであるので（ステップＳ５、Ｙ）、ＣＨ−Ａに対応する記号“Ａ"を書込み更新し（図６Ｂの状態に変化）（ステップＳ６）、当該電文をＣＨ−ＣからＬＡＮ上に送出する（ステップＳ８）。
【００９６】
なお、当該電文がＰＯＳ装置４から発せられたものであれば受信チャネルがＣＨ−Ｂであるので（ステップＳ５、Ｎ）、給油チャネルを“Ｂ”に更新して（ステップＳ７）、電文をそのままＣＨ−Ｃに送出する（ステップＳ８）。
【００９７】
ここで給油機１０１Ａに対応する給油許可発信チャネルが“空白”でなく（ステップＳ４、Ｎ）、図６Ｂに示すように、既に“Ａ”であれば（ステップＳ９、Ｙ：図１０）、当該電文をそのままＣＨ−ＣからＬＡＮ上に送出する（ステップＳ８）。
【００９８】
しかし、図６Ｃに示す例の様に給油許可チャンネルに“Ｂ”が設定してあれば（ステップＳ９、Ｎ）、給油機１０１Ａに対し情報を遮断するため当該電文は削除する（ステップＳ１０：図１０）。
【００９９】
このように、切替スイッチ５の制御装置５０は、ＰＯＳ装置３又は、４即ち、ＣＨ−Ａ又は、ＣＨ−Ｂから受信した特定の給油機に対する制御権を確立するための電文である「給油許可電文」について、図６に示したメモリ５１上のテーブルの「給油許可発信チャネル」が空白（図６Ａ）であれば、発信されたチャネルの記号を書き込み（図６Ｂ又は図６Ｃ）、インタフェース５５のＣＨ−Ｃ（給油情報用ＬＡＮ）に当該電文をそのまま転送する（ステップＳ６、Ｓ７、Ｓ８）。
【０１００】
一方、既に「給油許可発信チャネル」に書き込み（“Ａ"または“Ｂ"）がある場合は「給油許可発信チャネル」と同じチャネルから受信した場合はＣＨ−Ｃに当該電文をそのまま転送する（ステップＳ９、Ｙ）が、そうでない場合は当該電文を削除する（ステップＳ１０）。これは、既に特定の給油機に対する第１の清算システムもしくは第２の清算システムでの使用（制御権）が確立している場合に、誤って他方の清算システムからの割り込みを排除するためである。
【０１０１】
図９のステップＳ１で「給油許可電文」でない場合（ステップＳ１、Ｎ）であって、ＰＯＳ装置３，４から特定の給油機に対する制御権を取り消すための電文である「給油許可取消し電文」を受信した場合（ステップＳ１１、Ｙ）、あるいは制御電文である「ポンプロック電文」を受信した場合（ステップＳ２０，Ｙ：図１０）又は「ポンプロック解除電文」を受信した場合（ステップＳ２１，Ｙ:図１０）のいずれかを受信した場合は、電文内の給油機記号を抽出する（ステップＳ１２：図９、Ｓ２２：図１０）。次いで、抽出した給油機記号に対応するテーブルの「給油許可発信チャネル」の情報を取得する（ステップＳ１３：図９、Ｓ２３：図１０）。
【０１０２】
そして、この取得した「給油許可発信チャネル」が“空白”の場合は（ステップＳ１４，Ｙ：図９、Ｓ２４，Ｙ：図１０）、制御不能として当該電文をそのままＣＨ−Ｃにそのまま転送する（ステップＳ８）。ＰＯＳ装置から受信した電文が、制御に関する電文である「給油許可電文」「給油許可取消し電文」「ポンプロック電文」「ポンプロック解除電文」のいずれでもない場合は（ステップＳ２１，Ｎ：図１０）、当該電文をＣＨ−Ｃにそのまま転送する（ステップＳ８）。
【０１０３】
また、上記で「給油許可取消し電文」を受信した場合（ステップＳ１１、Ｙ）、抽出した給油機記号に対応するテーブルの「給油許可発信チャネル」の情報が、“空白”でない場合（ステップＳ１４，Ｎ）は、給油許可発信チャネルから来た電文であれば（ステップＳ１５，Ｙ）、給油許可発信チャネルを“空白”に更新して（ステップＳ１７）、当該電文をＣＨ−Ｃにそのまま転送する（ステップＳ８）。そうでなければ（ステップＳ１５，Ｎ）、電文は削除される（ステップＳ１６）。
【０１０４】
さらに、「ポンプロック電文」又は「ポンプロック解除電文」を受信した場合（ステップＳ２０，Ｙ、Ｓ２１，Ｙ）のいずれかを受信した場合で、抽出した給油機記号に対応するテーブルの「給油許可発信チャネル」の情報が、“空白”でない場合（ステップＳ２４，Ｎ）は、給油許可発信チャネルから来た電文であれば（ステップＳ９，Ｙ）、当該電文をＣＨ−Ｃにそのまま転送する（ステップＳ８）。そうでなければ（ステップＳ９，Ｎ）、電文は削除される（ステップＳ１０）。
【０１０５】
一方、「給油許可電文」を受信した給油機１０１Ａにおいて、受信した電文について条件の欠落など所定のエラーと判断した場合は、給油機１０１Ａから当該給油機記号を含む「エラー電文」をＬＡＮ上に送出する。
【０１０６】
したがって、図１１のフローにおいて、切替スイッチ５の制御装置５０は、ＣＨ−Ｃから電文を受信すると、「エラー電文」か否かを判断し（ステップＳ３０）、「エラー電文」である場合（ステップＳ３０、Ｙ）、電文内の給油機記号を抽出し（ステップＳ３１）、メモリ５１上のテーブル（この時点では図６Ｂ）を参照して給油機１０１Ａに対する給油許可発信チャネル情報“Ａ”を取得する（ステップＳ３２）。
【０１０７】
この時点で取得される給油許可発信チャネル情報は、ＣＨ−Ａに対応する“Ａ”である（ステップＳ３３、Ｙ：図６Ｂ参照）ので、ＣＨ−ＡのＰＯＳ装置３に対して当該電文をそのまま転送する（ステップＳ３４）。この際、他方のＣＨ−ＢのＰＯＳ装置４には、電文の転送は行わない。
【０１０８】
次いで、図６Ｂのテーブルの給油機１０１Ａに対応する「給油許可発信チャネル」の情報を初期値である“空白”に更新し、図６Ａに戻す（ステップＳ３５）。
【０１０９】
なお、ステップＳ３３において、給油許可発信チャネル情報がＣＨ−Ａに対応する“Ａ”で無ければ（ステップＳ３３、Ｎ）、給油許可発信チャネル情報は、ＣＨ−Ｂに対応する“Ｂ”であるかを判断し（ステップＳ３６）、給油許可発信チャネル情報が“Ｂ”であれば、ＣＨ−Ｂに電文をそのまま送出し（ステップＳ３７）、給油許可発信チャネル情報を初期値である“空白”にする（ステップＳ３５）。
【０１１０】
また、給油許可発信チャネル情報が、ＣＨ−Ａ及びＣＨ−Ｂの何れにも該当しない場合（ステップＳ３６，Ｎ）は、制御不能として電文をそのままＣＨ−ＡとＣＨ−Ｂに送出する（ステップＳ３８）。
【０１１１】
さらに、「給油許可電文」に基づき給油機１０１Ａで給油が開始されると、当該給油機の記号を含む「給油中電文」に対応するコードが、図８Ｂのフォーマットにより給油機１０１ＡからＬＡＮ上に送出される。
【０１１２】
したがって、切替スイッチ５の制御装置５０は、ＣＨ−Ｃからこの「給油中電文」を受信し（ステップＳ４０、Ｙ：図１２参照）、電文中から送信元コード即ち、給油機１０１Ａの記号を抽出し（ステップＳ４１）、これに対するメモリ５１上のテーブル（この時点は図６Ｂ）を参照し、給油機１０１Ａに対する給油許可発信チャネル情報を取得する（ステップＳ４２）。
【０１１３】
取得した給油許可発信チャネル情報がＣＨ-Ａに対応する“Ａ”であるので（ステップＳ４３，Ｙ）、対応するＣＨ-ＡのＰＯＳ装置３に対して当該電文をそのまま転送する（ステップＳ４４）。同時に、当該電文に含まれる給油機１０１Ａの給油ノズル１２６の状態を示す「ノズル掛け電文」のコードに書き換えて（ステップＳ４５）、他方のＣＨ−ＢのＰＯＳ装置４に送出する（ステップＳ４６）。
【０１１４】
なお、ステップＳ４３において、給油許可発信チャネル情報が“Ａ”でなく（ステップＳ４３，Ｎ）、ＣＨ−Ｂに対応する“Ｂ”である場合（ステップＳ４７，Ｙ）は、対応するＣＨ-ＢのＰＯＳ装置４に対して当該電文をそのまま転送する（ステップＳ４８）。同時に、当該電文に含まれる給油機１０１Ａの給油ノズル１２６の状態を示す「ノズル掛け電文」のコードに書き換えて（ステップＳ４９）、他方のＣＨ−ＡのＰＯＳ装置３に送出する（ステップＳ５０）。
【０１１５】
ステップＳ４２で取得される給油許可発信チャネルの情報が、“Ａ”でも“Ｂ”でもない場合（ステップＳ４３，Ｎ、ステップＳ４７，Ｎ）、制御不能として電文はそのままＣＨ−ＡのＰＯＳ装置３と、ＣＨ−ＢのＰＯＳ装置４に送出される（ステップＳ５１）。
【０１１６】
ここで、使用される給油機が図３に示した形状と異なる懸垂式の場合は、給油ホースが下がったままの状態（ノズル外し状態）での「給油終了電文」の場合があるので、その際はＣＨ−Ｂに対しては給油ノズルの状態を示す電文は「ノズル外し電文」となる。以下の説明では懸垂式の場合の違いについては特に説明しない。
【０１１７】
給油機構１０１Ａでの給油が終了し、顧客が該当給油ノズルを戻すと、給油機１０１Ａから給油機の記号を含む「給油終了電文」がＬＡＮ上に送出される。
【０１１８】
切替スイッチ５の制御装置５０はＣＨ−Ｃから受信する電文が、「給油終了電文」であると（ステップＳ５２，Ｙ）、電文中から送信元即ち、給油機の記号を取得し（ステップＳ５３）、図６のテーブルから給油機の記号に対応する給油許可発信チャネルの情報を取得する（ステップＳ５４）。
【０１１９】
取得した給油許可発信チャネルが、“Ａ”である場合（ステップＳ５５，Ｙ）、対応するＣＨ-ＡのＰＯＳ装置３に対して当該電文をそのまま転送する（ステップＳ５６）。同時に、当該電文に含まれる給油機１０１Ａの給油ノズル１２６の状態を示す「ノズル掛け電文」のコードに書き換えて（ステップＳ５７）、他方のＣＨ−ＢのＰＯＳ装置４に送出する（ステップＳ５８）。次いで、テーブルの給油許可発信チャネルを初期値である“空白”に更新する（ステップＳ５９）。
【０１２０】
一方、取得した給油許可発信チャネルが、“Ｂ”である場合（ステップＳ６０，Ｙ）、対応するＣＨ-ＢのＰＯＳ装置４に対して当該電文をそのまま転送する（ステップＳ６１）。同時に、当該電文に含まれる給油機１０１Ａの給油ノズル１２６の状態を示す「ノズル掛け電文」のコードに書き換えて（ステップＳ６２）、他方のＣＨ−ＡのＰＯＳ装置３に送出する（ステップＳ６３）。次いで、テーブルの給油許可発信チャネルを初期値である“空白”に更新する（ステップＳ５９）。
【０１２１】
取得した給油許可発信チャネルが、“Ａ”でも“Ｂ”でもないとき（ステップＳ５５，Ｎ、ステップＳ６０，Ｎ）は制御不能として、ステップＳ５２において「給油終了電文」でないとき（ステップＳ５２，Ｎ）は、電文をそのままＣＨ−Ａと、ＣＨ−Ｂに送出する（ステップＳ５１）。
【０１２２】
このように、切替スイッチ５の制御装置５０は、給油機側から受信した制御に関する電文に対する回答電文である「エラー電文」「給油中電文」「給油終了電文」については制御権を確立している側のＰＯＳ装置には電文をそのまま送出し、他方には情報を加工して送出する。
【０１２３】
給油機側から受信した電文が制御に関する電文に対する回答電文（「エラー電文」「給油中電文」「給油終了電文」）で無い場合（ステップＳ３０，Ｎ：図１１、Ｓ４０，Ｎ：図１２、Ｓ５２，Ｎ：図１２）は、電文をそのままＣＨ−Ａと、ＣＨ−Ｂに送出する（ステップＳ５１）
【産業上の利用可能性】
【０１２４】
上記に図面に従い、本発明の実施例を説明したように、本発明は、切替スイッチの存在により、既存の第１の清算システムによるセルフ方式給油に影響を与えることなく、新たに付加する第２の清算システムとを並存するシステムの提供が容易に可能である。よって、本発明の適用により、セルフ方式給油システムの更なる普及に貢献することが可能である。
【図面の簡単な説明】
【０１２５】
【図１】従来のセルフ式給油所システムの機器構成例ブロック図である。
【図２】本発明に従うセルフ式給油所システムの機器構成例ブロック図である。
【図３】給油機１０１Ａ/Ｂの外観斜視図を示す図である。
【図４】第２の清算システムに備えられるＰＯＳ端末機２０，２１の外観図である。
【図５】切替えスイッチ５の構成例を示す図である。
【図６】メモリ５１に格納されるテーブルに保持される内容例を示す図である。
【図７】ＰＯＳ端末機制御信号線ＣＳＬ上を伝達される指定情報のフォーマットの例を示す図である。
【図８】ＬＡＮ上に送られる電文のフォーマットの例を示す図である。
【図９】ＰＯＳ装置３又は４から給油機側に向かう電文に対するスイッチ装置５の処理を示すフロー図である(その１)。
【図１０】ＰＯＳ装置３又は４から給油機側に向かう電文に対するスイッチ装置５の処理を示すフロー図である(その２)。
【図１１】給油機側からＰＯＳ装置３又は４に向かう電文に対するスイッチ装置５の処理を示すフローである(その１)。
【図１２】給油機側からＰＯＳ装置３又は４に向かう電文に対するスイッチ装置５の処理を示すフローである(その２)。
【符号の説明】
【０１２６】
１００  セルフレーン
１０１Ａ／Ｂ、１０２Ａ／Ｂ、１０３Ａ／Ｂ  給油機
１１１Ａ／Ｂ、１１２Ａ／Ｂ、１１３Ａ／Ｂ  第１の清算システムに属するＰＯＳ端末機
２０，２１  第２の清算システムに属するＰＯＳ端末機
２，６ＨＵＢ装置
３，４ＰＯＳ装置
５  切替スイッチ
【図１】
2005145537.tif 000003
【図２】
2005145537.tif 000004
【図３】
2005145537.tif 000005
【図４】
2005145537.tif 000006
【図５】
2005145537.tif 000007
【図６】
2005145537.tif 000008
【図７】
2005145537.tif 000009
【図８】
2005145537.tif 000010
【図９】
2005145537.tif 000011
【図１０】
2005145537.tif 000012
【図１１】
2005145537.tif 000013
【図１２】
2005145537.tif 000014